【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
ユニットＩＤを有する複数の処理ユニット（１２２０）と通信可能な外部装置処理ユニット（１１０）を備えたワークシステムであって、
前記外部装置処理ユニット（１１０）が、
外部装置処理プロセッサ（１１１）と、
前記複数の処理ユニット（１２２０）と無線で通信するために、前記外部装置処理プロセッサ（１１１）に接続された外部装置通信回路（１０２）と、
少なくとも１つの外部装置（１３１）と、
前記外部装置処理プロセッサ（１１１）と前記少なくとも１つの外部装置（１３１）との間に接続された外部装置インタフェース回路（１０４）とを備え、
前記外部装置処理プロセッサ（１１１）が前記複数の処理ユニット（１２２０）の１つから、前記外部装置通信回路（１０２）を介して、前記少なくとも１つの外部装置（１３１）を利用するためのサービス要求をユニットＩＤと共に受け取り、
前記外部装置処理プロセッサ（１１１）が、前記複数の処理ユニット（１２２０）の１つに対するユニットＩＤを特定し、前記特定されたユニットＩＤによる前記複数の処理ユニット（１２２０）の１つへの排他的アクセスを許可し、前記少なくとも１つの外部装置（１３１）を使用するためのサービス応答を、特定されたユニットＩＤに基づいて前記複数の処理ユニット（１２２０）の１つへ送信し、
前記外部装置処理プロセッサ（１１１）が、前記複数の処理ユニット（１２２０）の１つによってリリースされた後に、前記外部装置処理プロセッサ（１１１）が、前記複数の処理ユニットの他の１つに、他のユニットＩＤによる排他的アクセスを許可し、前記複数の処理ユニット（１２２０）の前記他の１つに他のサービス応答を提供することができる、
ワークシステム。
【請求項２】
前記複数の処理ユニット（１２２０）が、
処理プロセッサ（１２１）と、
前記外部装置処理プロセッサ（１１１）の外部装置通信回路（１０２）と無線通信を行うために前記処理プロセッサに接続された通信回路（１２２）とを備える、
請求項１に記載のワークシステム。
【請求項３】
前記外部装置処理ユニット（１１０）が外部装置ＩＤを有し、前記外部装置処理ユニット（１１０）が、前記サービス応答を前記外部装置ＩＤと共に前記複数の処理ユニット（１２２０）の前記１つに送信する、
請求項１に記載のワークシステム。
【請求項４】
前記サービス要求を送信する際に、前記複数の処理ユニット（１２２０）の前記１つが先頭信号と終端信号とを送信すると共に、ユニットＩＤとリクエストコンテンツとを前記先頭信号と終端信号との間に含める、
請求項３に記載のワークシステム。
【請求項５】
前記サービス要求を送信する際に、前記複数の処理ユニット（１２２０）の前記１つが、外部機器ＩＤを前記先頭信号と終端信号との間に含める、
請求項４に記載のワークシステム。
【請求項６】
前記複数の  処理ユニット（１２２０）の前記１つが、前記外部装置処理ユニット（１１０）と通信接続を維持するために、前記外部装置処理ユニット（１１０）へ定期的に要求を送信し、
前記外部装置処理ユニット（１１０）は、前記複数の処理ユニット（１２２０）の前記１つとの通信接続を維持するために、前記複数の処理ユニット（１２２０）の前記１つから送られる前記要求を定期的にチェックする、
請求項３に記載のワークシステム。
【請求項７】
前記サービス応答を送信する際に、前記外部装置処理ユニット（１１０）が、先頭信号と終端信号を送信すると共に、前記外部機器ＩＤとサービスコンテンツとを前記先頭信号と終端信号との間に含める、
請求項４に記載のワークシステム。
【請求項８】
前記サービス応答を送信する際に、前記外部装置処理ユニット（１１０）が、前記複数の処理ユニット（１２２０）の前記１つの前記ユニットＩＤを、前記先頭信号と終端信号との間に含める、
請求項７に記載のワークシステム。
【請求項９】
前記少なくとも１つの外部装置（１３１）は、複数の外部装置（１３１）を含み、
前記外部装置処理ユニット（１１０）は、前記複数の処理ユニット（１２２０）の前記１つに対して、特定のアプリケーションタスクを実行するために、前記複数の外部装置（１３１）をグループ化することが可能である、
請求項１に記載のワークシステム。
【請求項１０】
前記複数の処理ユニット（１２２０）が複数の携帯電話である、
請求項１から９のいずれか一項に記載のワークシステム。
【請求項１１】
ワークシステムの動作方法であって、
前記ワークシステムは、外部装置処理ユニット（１１０）を含み、
前記外部装置処理ユニット（１１０）は、外部装置処理プロセッサ（１１１）を含み、
前記外部装置処理ユニット（１１０）は、少なくとも１つの外部装置（１３１）に接続され、それぞれがユニットＩＤを有する複数の処理ユニット（１２２０）と無線通信が可能であり、
前記動作方法は、
前記外部装置処理プロセッサ（１１１）が、前記複数の処理ユニット（１２２０）の１つから、前記少なくとも１つの外部装置（１３１）を利用するために、そのユニットＩＤと共にサービス要求を受信し、
前記外部装置処理プロセッサ（１１１）が、前記複数の処理ユニット（１２２０）の１つに対するユニットＩＤを特定し、特定されたユニットＩＤにより前記複数の処理ユニット（１２２０）の１つに対する排他的アクセスを許可し、前記特定されたユニットＩＤに基づいて、前記複数の処理ユニット（１２２０）の１つへ、前記少なくとも１つの外部装置（１３１）を使用するためのサービス要求を送信し、
前記複数の処理ユニット（１２２０）の１つによって前記外部装置処理プロセッサ（１１１）がリリースされた後に、前記外部装置処理プロセッサ（１１１）が、前記複数の処理ユニット（１２２０）の他の１つへの他のユニットＩＤによる排他的アクセスを許可することができ、前記複数の処理ユニット（１２２０）の前記他の１つへ他のサービス応答を提供することができる、
ワークシステムの動作方法。
【請求項１２】
前記外部装置処理ユニット（１１０）が外部装置ＩＤを有し、
前記動作方法が、
前記外部装置処理ユニット（１１０）が前記複数の処理ユニット（１２２０）の前記１つへ、前記外部装置ＩＤと共に前記サービス応答を送信する、
請求項１１に記載のワークシステムの動作方法。
【請求項１３】
前記サービス要求を送信する際に、前記複数の処理ユニット（１２２０）の前記１つが先頭信号と終端信号とを送信すると共に、ユニットＩＤとリクエストコンテンツとを前記先頭信号と終端信号との間に含める、
請求項１２に記載の動作方法。
【請求項１４】
前記サービス要求を送信する際に、前記複数の処理ユニット（１２２０）の前記１つが、外部機器ＩＤを前記先頭信号と終端信号との間に含める、
請求項１３に記載の動作方法。
【請求項１５】
前記複数の処理ユニット（１２２０）の前記１つが、前記外部装置処理ユニット（１１０）と通信接続を維持するために、前記外部装置処理ユニット（１１０）へ定期的に要求を送信し、
前記外部装置処理ユニット（１１０）は、前記複数の処理ユニット（１２２０）の前記１つとの通信接続を維持するために、前記複数の処理ユニット（１２２０）の前記１つから送られる前記要求を定期的にチェックする、
請求項１２に記載の動作方法。
【請求項１６】
前記サービス応答を送信する際に、前記外部装置処理ユニット（１１０）が、先頭信号と終端信号を送信すると共に、前記外部機器ＩＤとサービスコンテンツとを前記先頭信号と終端信号との間に含める、
請求項１２に記載の動作方法。
【請求項１７】
前記サービス応答を送信する際に、前記外部装置処理ユニット（１１０）が、前記複数の処理ユニット（１２２０）の前記１つの前記ユニットＩＤを、前記先頭信号と終端信号との間に含める、
請求項１６に記載の動作方法。
【請求項１８】
前記少なくとも１つの外部装置（１３１）は、複数の外部装置（１３１）を含み、
前記外部装置処理ユニット（１１０）は、前記複数の処理ユニット（１２２０）の前記１つに対して、特定のアプリケーションタスクを実行するために、前記複数の外部装置（１３１）をグループ化することが可能である、
請求項１１に記載の動作方法。